(57)【特許請求の範囲】
【請求項１】
幅方向中間に位置する基部と、基部の幅方向両側に位置する両側部とを備え、
両側部が、それぞれ側端部を巻き始めとして表面が内側となるように巻かれることにより、基部よりも厚いロール状部分となるように構成されるとともに、
前記両側部のロール状部分の間に間隔を空けた状態で、前記ロール状部分の巻きを固定する巻き固定手段として、前記両側部における前記基部側の端部に表裏に貫通する貫通部が形成されるとともに、前記両側部の側端部が前記貫通部に挿し込まれる挿し込み部として形成されており、
少なくとも前記ロール状部分はその外部露出面から尿を吸収可能である、
ことを特徴とする吸収性物品。
【請求項２】
裏面に、前記貫通部に挿し込まれた挿し込み部を接合するための接合部が設けられている、請求項１記載の吸収性物品。
【請求項３】
前記基部の裏面にズレ止め部が設けられており、このズレ止め部の一部が前記接合部を兼ねるように構成されている、請求項２記載の吸収性物品。
【請求項４】
前記挿し込み部の基部が、前記貫通部の縁に引っ掛る掛止部として形成されている、請求項１〜３のいずれか１項に記載の吸収性物品。
【請求項５】
前記巻き固定手段は、複数の異なる巻長さで巻きを固定可能なように構成されている、請求項１〜４のいずれか１項に記載の吸収性物品。
【請求項６】
前記基部及び両側部にわたる一体的な吸収体と、この吸収体の表裏両面を被覆する液透過性シートとを備えた、請求項１〜５のいずれか１項に記載の吸収性物品。
【発明の詳細な説明】
【技術分野】
【０００１】
本発明は、パッドタイプ、テープタイプ、パンツタイプ等の基本吸収性物品とともに補助的に使用される吸収性物品に関するものである。
【背景技術】
【０００２】
成人向けの排泄物吸収性物品（おむつ）としては、パッドタイプ、テープタイプ、パンツタイプ等の基本吸収性物品（アウターとも呼ばれる）の他に、これらと併用することを想定した、より小型のフラットタイプと呼ばれる補助吸収性物品（インナーとも呼ばれる）が提供されており、これらの組み合わせは特にケア施設等の介護現場において汎用されている。
【０００３】
特に装着者が男性の場合、排尿位置が陰茎の位置により変化するため、脚周りからの漏れが発生し易いという問題があり、介護現場ではこの問題を解決するために、フラットタイプの補助吸収性物品を用い、その幅方向両側部を蛇腹状にして、蛇腹状部分間に陰茎を配置することにより、鼠径部から股間までの両脚の付根の溝に発生する隙間を埋めるようにしたり、特に装着者が男性のときには円錐状に丸めて陰茎に巻き付けたりする（以下、男性巻きともいう）、といった対応が取られている（例えば、特許文献１，２参照）。
【０００４】
また、男性巻きの装着作業の簡素化及び漏れの低減を図るために、陰茎挿入口を有する袋状吸収性物品も提案されている（例えば、特許文献３，４参照）。
【先行技術文献】
【特許文献】
【０００５】
【特許文献１】特開２００６−２１２４５２号公報
【特許文献２】特開２００１−１２９０１２号公報
【特許文献３】特開２００１−２０４７５５号公報
【特許文献４】特許第４３８８２１３号公報
【発明の概要】
【発明が解決しようとする課題】
【０００６】
しかし、上述の男性巻きや袋状吸収性物品では、装着状態において陰茎が吸収性物品により拘束されるため違和感が強く、また陰茎が動いて物品外に抜け出ると意味をなさないという問題点がある。
【０００７】
また、上述の蛇腹状装着形態は、男性巻きや袋状吸収性物品と比べて装着時の違和感は少ないものの、鼠径部から股間までの両脚の付根の溝に発生する隙間を完全に埋めることが困難であり、隙間が残り易いだけでなく、脚の動きに追従できずにじゃばらが崩れ易いため、脚周りの漏れ防止という観点からは改善の余地がある。
【０００８】
そこで、本発明の主たる課題は、男性が使用する際、装着時の違和感が少ないものでありながら、型くずれし難く、脚周りの漏れ防止性に優れる吸収性物品を提供することにある。
【課題を解決するための手段】
【０００９】
上記課題を解決した本発明は次記のとおりである。
＜請求項１記載の発明＞
幅方向中間に位置する基部と、基部の幅方向両側に位置する両側部とを備え、
両側部が、それぞれ側端部を巻き始めとして表面が内側となるように巻かれることにより、基部よりも厚いロール状部分となるように構成されるとともに、
前記両側部のロール状部分の間に間隔を空けた状態で、前記ロール状部分の巻きを固定する巻き固定手段として、前記両側部における前記基部側の端部に表裏に貫通する貫通部が形成されるとともに、前記両側部の側端部が前記貫通部に挿し込まれる挿し込み部として形成されており、
少なくとも前記ロール状部分はその外部露出面から尿を吸収可能である、
ことを特徴とする吸収性物品。
【００１０】
【００１１】
（作用効果）
本発明の吸収性物品は、使用前の準備段階で又は予め製品状態でロール状部分を形成しておき、使用に際して、鼠径部から股間までの両脚の付根の溝に、両側部のロール状部分を入り込ませるとともに、それらロール状部分の間に男性器を配置して男性器を基部で覆うようにして装着することができる。したがって、鼠径部から股間までの両脚の付根の溝に発生する隙間を、尿吸収可能なロール状部分により埋めることができ、脚周りに向かう尿をロール状部分により効果的に吸収することができる。しかも、ロール状部分は、蛇腹状のものとは異なり、弾力性及び形状維持性（形状の崩れにくさ）に富むため、脚の付根の溝にしっかりとフィットし、脚等の体動に追従して変形・復元することができるとともに、巻き固定手段により固定されているから巻きが崩壊することもない。よって、脚周りからの漏れは発生し難くなる。さらに、本発明の吸収性物品では、男性巻きや袋状吸収性物品のように男性器が強く拘束されず、違和感も生じ難い。
なお、ロール状部分は、側部が少なくとも１周は巻かれている（つまり筒状になっている）部分を意味する。
【００１２】
【００１３】
また、このように、両側部の差し込み部を貫通部に挿し込むことによりロール状部分の巻き固定を行う構造とすると、新規な部材を追加せずに巻き固定手段を構成でき、また固定作業も簡単であるため好ましい。なお、本発明の吸収性物品を基本吸収性物品の内面に配置して補助的に用いる場合、貫通部が設けられていても貫通部を介して尿が抜けることは問題とならない。
【００１４】
＜請求項２記載の発明＞
裏面に、前記貫通部に挿し込まれた挿し込み部を接合するための接合部が設けられている、請求項１記載の吸収性物品。
【００１５】
（作用効果）
挿し込み部を貫通部に挿し込むだけでは、挿し込み部が貫通部から抜け出るおそれがあるため、このような接合部を設けて、貫通部に挿し込まれた挿し込み部を吸収性物品の裏面に接合し、抜け出ないように固定するのは好ましい。
【００１６】
＜請求項３記載の発明＞
前記基部の裏面にズレ止め部が設けられており、このズレ止め部の一部が前記接合部を兼ねるように構成されている、請求項２記載の吸収性物品。
【００１７】
（作用効果）
挿し込み部を固定するために専用の接合部を設けることもできるが、基本吸収性物品に対する位置ズレを防止するズレ止め部を基部の裏面に設け、このズレ止め部の一部が接合部を兼ねる形態とすることにより、一つの手段でズレ止め機能と挿し込み部の固定機能を装備することができるため好ましい。
【００１８】
＜請求項４記載の発明＞
前記挿し込み部の基部が、前記貫通部の縁に引っ掛る掛止部として形成されている、請求項１〜３のいずれか１項に記載の吸収性物品。
【００１９】
（作用効果）
このような形態であると、新規な部材や接着剤を追加せずに挿し込み部の抜けを防止することができ、また固定作業も簡単であるため好ましい。
【００２０】
【００２１】
【００２２】
＜請求項５記載の発明＞
前記巻き固定手段は、複数の異なる巻長さで巻きを固定可能なように構成されている、請求項１〜４のいずれか１項に記載の吸収性物品。
【００２３】
（作用効果）
このような形態であると、使用に際して、装着者の身体寸法に合わせて、ロール状部分の位置や直径、ロール状部分の相互間隔を調節することが可能となる。
【００２４】
＜請求項６記載の発明＞
前記基部及び両側部にわたる一体的な吸収体と、この吸収体の表裏両面を被覆する液透過性シートとを備えた、請求項１〜５のいずれか１項に記載の吸収性物品。
【００２５】
（作用効果）
このような形態であると、基部及び両側部の全体において表裏両面からの尿吸収が可能となり、また吸収した尿は吸収体全体に拡散可能となる。さらに、吸収体の剛性により、装着状態では、両側部のロール状部分が両脚の付根の溝に向かって付勢された状態となるため、脚の動きに追従して両側部のロール状部分が基部との境界を軸に揺動することができ、動的なフィット性に優れるとともに、男性器への側方からの圧迫も少ないものとなる。
【発明の効果】
【００２６】
以上のとおり、本発明によれば、男性が使用する際、装着時の違和感が少ないものでありながら、脚周りの漏れ防止性に優れる等の利点がもたらされる。
【図面の簡単な説明】
【００２７】
【図１】第１の形態の吸収性物品の展開状態の表面側を示す平面図である。
【図２】第１の形態の吸収性物品の展開状態の裏面側を示す平面図である。
【図３】図１のＸ−Ｘ断面図である。
【図４】第１の形態の吸収性物品の表面側を示す斜視図である。
【図５】第１の形態の吸収性物品の裏面側を示す斜視図である。
【図６】吸収性物品の配置状態を示す斜視図である。
【図７】吸収性物品の装着状態を概略的に示す正面図である。
【図８】吸収性物品の装着状態を概略的に示す横断面図である。
【図９】第２の形態の吸収性物品を示す斜視図である。
【図１０】第３の形態の吸収性物品を示す斜視図である。
【図１１】第４の形態の吸収性物品の展開状態の表面側を示す平面図である。
【図１２】第４の形態の吸収性物品を示す斜視図である。
【図１３】第５の形態の吸収性物品の展開状態の裏面側を示す斜視図である。
【図１４】第５の形態の吸収性物品の正面図である。
【図１５】パッドタイプ吸収性物品の展開状態の表面側を示す平面図である。
【図１６】パッドタイプ吸収性物品の裏面側を示す平面図である。
【図１７】図１５のＹ−Ｙ断面図である。
【図１８】図１５のＺ−Ｚ断面図である。
【発明を実施するための形態】
【００２８】
以下、本発明の一実施形態について添付図面を参照しつつ詳説する。
（第１の形態）
第１の形態の吸収性物品１０は、図１〜図３に示すように、幅方向中間に位置する基部１１と、基部１１の幅方向両側に位置する両側部１２とを備えたものであり、使用前の準備段階で又は予め製品状態で、図４及び図５に示すように、両側部１２を、それぞれ側端部１２Ｅを巻き始めとして表面が内側となるように巻かれることにより、基部１１よりも厚いロール状部分１３とするものである。
【００２９】
この吸収性物品１０は、少なくともロール状部分１３がその外部露出面から尿を吸収可能なように構成されている限り、内部構造は特に限定されず、形状維持性に優れるものであれば吸収性素材単独で構成することもできるが、図１〜図３に示すように、基部１１及び両側部１２にわたる一体的な吸収体３と、吸収体３の表面を被覆する透液性トップシート２と、吸収体３の裏面を被覆する透液性バックシート１とを備えた構造が簡素であり好ましい。この場合、図４に示すように、基部１１の表面はトップシート２により形成され、このトップシート２を介して吸収体３への吸収がなされるのに対して、ロール状部分１３では外部露出面がバックシート１により形成され、バックシート１を介して吸収体３への吸収がなされる。なお、図中の点模様部分はホットメルト接着剤による接着部を示している。
【００３０】
トップシート２及びバックシート１としては、有孔または無孔の不織布や有孔プラスチックシートなどが用いられる。不織布を用いる場合、その繊維は特に限定されず、ポリエチレンまたはポリプロピレン等のオレフィン系、ポリエステル系、アミド系等の合成繊維の他、レーヨンやキュプラ等の再生繊維、綿等の天然繊維を用いることができ、また製法も特に限定されず、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート２及びバックシート１に多数の透孔を形成したプラスチックシートを用いると、尿などが速やかに吸収されるようになり、ドライタッチ性に優れたものとなる。
【００３１】
トップシート２及びバックシート１は、図示例では吸収体３の周囲からはみ出した部分を接合しているため吸収体３を有しないフラップ部４が形成されているが、いずれか一方のシートを吸収体３の周縁部を巻き込むように延在させることで周囲の一部又は全部にフラップ部４を有しない構造とすることもできる。
【００３２】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。吸収体３は、形状及びポリマー保持等のため、必要に応じてクレープ紙等の、液透過性及び液保持性を有する包装シート（図示略）によって包装することができる。吸収体３の形状は、図示形態のように長方形状とする他、適宜の形状とすることができる。吸収体３における繊維目付け及び吸収性ポリマーの目付けは適宜定めることができるが、繊維目付けは２５０〜５００ｇ／ｍ2程度とするのが好ましく、また吸収性ポリマーの目付けは５０〜２５０ｇ／ｍ2程度とするのが好ましい。
【００３３】
図示例と異なり、基部１１の裏側にのみ公知の不透液性シートを配置したり、ロール状部分１３の外部露出面の一部のみ透液性としたり、基部１１内の吸収体３を省略したり、基部１１及び両側部１２に対して個別に吸収体３を設けたりする等、適宜の変更が可能である。
【００３４】
吸収性物品１０の寸法・形状は適宜定めることができるが、通常の場合、展開状態における幅Ｗは３５０〜４５０ｍｍ程度とするのが好ましく、展開状態における前後方向長さＬは１４０〜２１０ｍｍ程度とするのが好ましく、前後方向長さＬよりも幅Ｗの長い横長形状とするのが好ましい。基部１１の幅（展開状態）は、装着者の股間幅より狭く、６０〜９０ｍｍ程度とすることができる。両側部１２の幅（展開状態）は、ロール状部分１３の巻き長さ（巻かれている部分の幅方向長さ）に応じて決まるものであり、通常の場合、１４５〜１８０ｍｍ程度とするのが好ましい。巻長さは次に述べる巻き固定手段により定まるものである。また巻き数は、第１の形態を基本とする場合は１巻きになるが、第５の形態のように巻き数を変化出来る場合は、１．５巻き程度（図１４の状態）は確保するのが好ましい。
【００３５】
特徴的には、両側部１２のロール状部分１３の間に間隔１３Ｄを空けた状態で、ロール状部分１３の巻きを固定する巻き固定手段が設けられている。巻き固定手段は特に限定されるものではないが、第１の形態では、両側部１２における基部１１側の端部に、表裏に貫通する貫通部１５として前後方向に延在するスリットが形成されるとともに、両側部１２が先細り状に形成され、その先端部（側端部１２Ｅ）が貫通部１５に挿し込み可能な挿し込み部１６として形成されている。貫通部１５及び挿し込み部１６の形状は、貫通部１５に挿し込み部１６を挿し込むことが可能である限り特に限定されるものではない。
【００３６】
以上のように構成された吸収性物品１０は、使用前の準備段階で又は予め製品状態で、図４及び図５に示すように、両側部１２を、それぞれ側端部１２Ｅを巻き始めとして表面が内側となるように巻くとともに、挿し込み部１６を貫通部１５に挿し込み、基部１１よりも厚いロール状部分１３を形成した後、図６〜図８に示すように、基本吸収性物品２０の内面と男性器Ｐとの間に配置し、装着者の鼠径部から股間までの両脚Ｔの付根の溝に、両側部１２のロール状部分１３を入り込ませるとともに、それらロール状部分１３の間に男性器Ｐを配置して男性器Ｐを基部１１で覆うようにして装着することができる。基本吸収性物品２０は立体ギャザー２４を備えた形態が一般的であるが、そのような場合には立体ギャザー２４の間に吸収性物品１０を配置する。そしてこの装着状態では、鼠径部から股間までの両脚Ｔの付根の溝に発生する隙間を、尿吸収可能なロール状部分１３により埋めることができ、脚Ｔ周りに向かう尿をロール状部分１３により効果的に吸収することができる。しかも、ロール状部分１３は、弾力性及び形状維持性（形状の崩れにくさ）に富むため、脚Ｔの付根の溝にしっかりとフィットし、脚Ｔ等の体動に追従して変形・復元することができるとともに、挿し込み部１６を貫通部１５に挿し込むことによりロール状部分１３の巻きが固定されているからロール状部分１３の巻きが崩壊することもない。よって、脚Ｔ周りからの漏れは発生し難くなる。また、男性器Ｐが強く拘束されず、違和感も生じ難い。なお、図８中の符号Ｄは装着者の下腹部Ｄを示している。
【００３７】
特に、図示形態のように、両側部１２の側端部１２Ｅを差し込み部１６として貫通部１５に挿し込むことによりロール状部分１３の巻き固定を行う構造とすると、新規な部材を追加せずに巻き固定手段を構成でき、また固定作業も簡単であるため好ましい。なお、本発明の吸収性物品１０を基本吸収性物品２０の内面に配置して補助的に用いる場合、貫通部１５が設けられていても貫通部１５を介して尿が抜けることは問題とならない。
【００３８】
また、図示形態のように、基部１１及び両側部１２にわたる一体的な吸収体３と、この吸収体３の表裏両面を被覆する液透過性シートとを備えた構造であると、基部１１及び両側部１２の全体において表裏両面からの尿吸収が可能となり、また吸収した尿は吸収体３全体に拡散可能となる。さらに、吸収体３の剛性により、装着状態では、両側部１２のロール状部分１３が両脚Ｔの付根の溝に向かって付勢された状態となるため、脚Ｔの動きに追従して両側部１２のロール状部分１３が基部１１との境界を軸に揺動することができ、動的なフィット性に優れるとともに、男性器Ｐへの側方からの圧迫も少ないものとなる。
【００３９】
他方、基部１１は基本吸収性物品２０に対して非固定とすることもできるが、図示形態のように、基部１１の裏面に、粘着剤層や面ファスナー（メカニカルファスナー）のオス材（フックテープ）等からなるズレ止め部５を設け、基部１１の位置ズレを防止するのも好ましい形態である。なお、図示形態は粘着剤層によりズレ止め部５を形成した場合を想定しており、符号６は粘着剤層を覆う剥離シートである。使用時にはこの剥離シート６を剥がして、粘着剤層を露出させて基本吸収性物品２０の内面に粘着させる。
【００４０】
（第２の形態）
挿し込み部１６を貫通部１５に挿し込むだけでは、挿し込み部１６が貫通部１５から抜け出るおそれがある、よって、図９に示すように、吸収性物品１０の裏面に、貫通部１５に挿し込まれた挿し込み部１６を接合するための接合部１７を設けて、貫通部１５に挿し込まれた挿し込み部１６が抜け出ないように吸収性物品１０の裏面に接合するのは好ましい。このような接合部１７は、粘着剤層を形成したり、面ファスナー（メカニカルファスナー）のオス材（フックテープ）を貼り付けたりすること等により形成することができる。粘着剤層や面ファスナーのオス材は接合後の剥離が容易であり、特に面ファスナーのオス材は再接合も容易である（他の形態でも同様である）。なお、図示形態では、ロール状部分１３の裏面に挿し込み部１６固定用の接合部１７を設けているが、基部１１法面に設けても良い。
【００４１】
（第３の形態）
図９に示す形態は、挿し込み部１６を固定するために専用の接合部１７を設けるものであるが、前述したようなズレ止め部５を設ける場合、図示形態のように貫通部１５の近傍を通るように形成しておき、図１０に示すように貫通部１５に差し込まれた挿し込み部１６をズレ止め部５の一部に接合する、つまり、ズレ止め部５の一部が第２の形態の接合部１７を兼ねるように構成されていると、一つの手段でズレ止め機能と挿し込み部１６の固定機能を装備することができるため好ましい。なお、図示形態では、基部１１のほぼ全体にわたりズレ止め部５を設け、その両脇近傍に貫通部１５を設けているが、ロール状部分１３の裏面にズレ止め部５を設けて、差し込み部の固定手段を兼ねるように構成しても良い。
【００４２】
（第４の形態）
第２の形態及び第３の形態とは異なり、図１１及び図１２に示すように、挿し込み部１６の基部を貫通部１５の縁に引っ掛る掛止部として形成すると、新規な部材や接着剤を追加せずに挿し込み部１６の抜けを防止することができ、また固定作業も簡単であるため好ましい。もちろん、この場合にも第２の形態や第３の形態の固定手段を組み合わせることは可能である。
【００４３】
なお、図示形態では、挿し込み部１６の寸法（図示例では前後方向長さが）を貫通部１５よりも大きく形成し、挿し込み部１６の基部を貫通部１５の寸法以下の首部１６ｎとして形成し、差し込み部１６を変形させて貫通部１５に挿し込み、挿し込み部１６の首部１６ｎ側の縁を貫通部１５の縁に引っ掛けるように構成しているが、差し込み部１６の基部に切り込みを設け、この斬り込みを貫通部１５の縁に引っ掛ける構成（図示略）としても良い。
【００４４】
（第５の形態）
他の巻き固定手段として、図１３及び図１４に示すようにロール状部分１３の巻きの終端部１３Ｅの裏面とこれに対向する表面とを接合する接合手段１７を設けることも提案する（本発明に含まれない参考形態である）。この参考形態では、貫通部１５や挿し込み部１６を設けずとも、ロール状部分１３の巻きを固定することができ、設計及び製造が容易であるため好ましい。接合手段１７は、ロール状部分１３の巻きの終端部１３Ｅの裏面、あるいはこれに対向する表面に、粘着剤層を形成したり、面ファスナー（メカニカルファスナー）のオス材（フックテープ）を貼り付けたりすること等により形成することができる。なお、図示形態は粘着剤層により接合手段１７を形成した場合を想定しており、符号１８は粘着剤層を覆う剥離シートである。
【００４５】
（第６の形態）
巻き固定手段は、複数の異なる巻長さで巻きを固定可能なように構成されていると、使用に際して、装着者の身体寸法に合わせて、ロール状部分１３の位置や直径、ロール状部分１３の相互間隔１３Ｄを調節することが可能となるため好ましい。このような調節機能は、例えば第１の形態の巻き固定手段であれば、図１中に二点差線で示すように、幅方向に間隔１３Ｄを空けて複数の貫通部１５を設けることにより装備でき、第５の形態の巻き固定手段であれば、幅方向に間隔１３Ｄを空けて複数の接合手段（図示略）を設けることにより装備できる。
【００４６】
＜その他＞
本発明の吸収性物品は、製品状態で図４に示すようにロール状部分１３が形成されているものであっても良い。
【００４７】
＜基本吸収性物品の例＞
【００４８】
本発明に係る吸収性物品は、パッドタイプ、テープタイプ、パンツタイプ等、基本吸収性物品の形態に関係なく補助的に使用することができる。以下、パッドタイプ吸収性物品の例を引いて基本吸収性物品の形態について説明する。
【００４９】
図１５〜図１８はパッドタイプ吸収性物品の一例２０を示している。このパッドタイプ吸収性物品２０は、股間部Ｃ２と、その前後両側に延在する腹側部分Ｆ２及び背側部分Ｂ２とを有しており、液不透過性のバックシート２１の内面と、透液性トップシート２２との間に、吸収体２３が介在された基本構造を有するものである。
【００５０】
パッドタイプ吸収性物品２０の各部の寸法は適宜定めることができ、例えば、物品全長（前後方向長さ）Ｌ１は３５０〜７００ｍｍ程度、全幅Ｗ１は１３０〜４００ｍｍ程度（ただし、おむつの吸収面の幅より狭い）とすることができ、この場合における股間部Ｃ２の前後方向長さは１０〜１５０ｍｍ程度、腹側部分Ｆ２の前後方向長さは５０〜３５０ｍｍ程度、及び背側部分Ｂ２の前後方向長さは５０〜３５０ｍｍ程度とすることができる。
【００５１】
吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は適宜定めることができ、図示例では太もも内側に対するフィット性を高めるために、股間部Ｃ２を含む前後方向中間領域が脚周りに沿う括れた形状となっているが、長方形状等とすることもできる。
【００５２】
吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００５３】
吸収体２３の裏面側には、バックシート２１が吸収体３の周縁より所定長さ食み出すように設けられている。バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。このような透湿性シートにおいても臭気の透過は抑制される。パッドタイプ吸収性物品の裏面を布のような肌触りとするために、バックシート２１の外面に不織布等の外装シート２１Ｃを張り合わせたり、バックシート２１として外面に不織布をラミネートしたラミネートシートを用いたりすることができる。これらの不織布の原料繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００５４】
吸収体２３の表面側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００５５】
パッドタイプ吸収性物品２０の前後方向両端部では、透液性トップシート２２が吸収体２３の前後端よりも前後両側にそれぞれ延在されて貼り合わされ、吸収体２３の存在しないエンドフラップ部ＥＦが形成されている。
【００５６】
パッドタイプ吸収性物品２０の両側部では、バックシート２１が吸収体２３の側縁よりも外側にそれぞれ延在されるとともに、この延在部からトップシート２２の側部までの部分の表面に対して、立体ギャザー２４をなすギャザーシート２４ｓの幅方向外側の部分２４ｘが前後方向全体にわたり貼り付けられ、これにより吸収体２３の存在しないサイドフラップ部ＳＦが構成されている。これら貼り合わせ部分は、図１７及び図１８では点模様で示されており、ホットメルト接着剤、ヒートシール、超音波シールにより形成できる。
【００５７】
エンドフラップ部ＥＦ及びサイドフラップ部ＳＦ以外の吸収体介在部分が、排泄物の主吸収領域である本体部ＢＤを構成する。エンドフラップ部ＥＦ及びサイドフラップ部ＳＦの寸法は適宜定めることができるが、エンドフラップ部ＥＦ及びサイドフラップ部ＳＦにおいてバックシート２１と透液性トップシート２２およびギャザーシート２４ｓとが確実に貼り合わせられるため、少なくとも一部が本体部との境界から１０ｍｍ以上食み出しているのが好ましい。
【００５８】
図示形態では、サイドフラップ部ＳＦの側縁は、吸収体の側縁に合わせて前後方向中間が脚周りに沿うように括れているが、括れの無い長方形状であってもよい。また、このような脚周りに沿う括れ部分を設ける場合、括れ部分の位置を前後方向中央より一方側に偏倚させ、当該一方側の部分における前後長を短くし、他方側の部分における前後長を長くし、当該一方側の部分を前、当該他方側の部分を後とすること（順方向装着）が一般的となっている。これは、臀部までを広くカバーする通常の装着状態や女性装着者を想定した場合、括れ部分の前後方向両側のうち前後長が長い方を装着状態における後とするのが望ましいからであり、図示形態における腹側部分Ｆ２及び背側部分Ｂ２はこれに応じたものである。しかし、装着の向きはユーザーが自由に変更できるものであり、例えば、男性における排尿の吸収性を高める場合等は、括れ部分の前後方向両側のうち前後長が長い方を装着状態における前とする、つまり背側部分Ｂ２が腹側に位置するように装着すること（逆方向装着）も行われている。
【００５９】
ギャザーシート２４ｓの素材としては、プラスチックシートやメルトブローン不織布を使用することもできるが、肌への感触性の点で、不織布にシリコーンなどの撥水剤により撥水処理をしたものが好適に使用される。
【００６０】
ギャザーシート２４ｓの幅方向中央側の部分２４ｃはトップシート２２上にまで延在しており、その幅方向中央側の端部には、細長状弾性部材２４ｇが前後方向に沿って伸張状態でホットメルト接着剤等により固定されている。この細長状弾性部材２４ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。
【００６１】
また、両ギャザーシート２４ｓ，２４は、幅方向外側の部分２４ｘが前後方向全体にわたり物品内面（図示形態ではトップシート２２表面およびバックシート２１表面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図１８に示されるように、物品内面（図示形態ではトップシート２２表面）に対して起立可能なバリヤー部となる部分であり、その起立基端２４ｂはギャザーシート２４ｓにおける幅方向外側の固定部分２４ｘと内側の部分２４ｃとの境に位置する。
【産業上の利用可能性】
【００６２】
本発明は、パッドタイプ、テープタイプ、パンツタイプ等の基本吸収性物品に併用して使用される補助吸収性物品に好適なものであるが、バックシートとして液不透過性シートを用いることにより単体の吸収性物品として利用することも可能である。
【符号の説明】
【００６３】
１…バックシート、２…トップシート、３…吸収体、４…フラップ部、５…ズレ止め部、６…剥離シート、１０…吸収性物品、１１…基部、１２…両側部、１２Ｅ…側端部、１３…ロール状部分、１３Ｄ…間隔、１３Ｅ…終端部、１５…貫通部、１６…挿し込み部、１６ｎ…首部、１７…接合部、２０…基本吸収性物品、Ｄ…下腹部、Ｐ…男性器、Ｔ…脚。
【図１】
0005851764.tif 000002
【図２】
0005851764.tif 000003
【図３】
0005851764.tif 000004
【図４】
0005851764.tif 000005
【図５】
0005851764.tif 000006
【図６】
0005851764.tif 000007
【図７】
0005851764.tif 000008
【図８】
0005851764.tif 000009
【図９】
0005851764.tif 000010
【図１０】
0005851764.tif 000011
【図１１】
0005851764.tif 000012
【図１２】
0005851764.tif 000013
【図１３】
0005851764.tif 000014
【図１４】
0005851764.tif 000015
【図１５】
0005851764.tif 000016
【図１６】
0005851764.tif 000017
【図１７】
0005851764.tif 000018
【図１８】
0005851764.tif 000019